【手続補正書】
【提出日】平成19年9月10日(2007.9.10)
【手続補正１】
【補正対象書類名】明細書
【補正対象項目名】特許請求の範囲
【補正方法】変更
【補正の内容】
【特許請求の範囲】
【請求項１】  それぞれ濾過体が装着された複数の単位フィルター枠部材と、
これら複数の単位フィルター枠部材を折り曲げ自在に連結するヒンジ部と、
前記単位フィルター枠部材の両側面からそれぞれ突出するように設けられ、当該空気清浄フィルターが設置される場所に設けられた案内溝に挿入される案内部と、
を備えたことを特徴とする空気清浄フィルター。
【請求項２】  前記案内溝が、前記案内部が挿入される方向に開口幅が小さくなる楔状であって、
前記案内部は、前記案内溝に合せて挿入方向先端から順次断面の大きさが大きくなるように形成されたことを特徴とする請求項１記載の空気清浄フィルター。
【請求項３】  前記案内部の側面に沿って、前記案内部を接続し、弾性変形可能なガイド帯を備えたことを特徴とする請求項１又は請求項２記載の空気清浄フィルター。
【請求項４】  前記複数の単位フィルター枠部材と前記ヒンジ部と前記案内部と前記ガイド帯が樹脂で一体成形されたことを特徴とする請求項３記載の空気清浄フィルター。
【請求項５】  空気吸込口を有するパネル内に配置された熱交換器と、
この熱交換器の上流に配置され、それぞれ濾過体が装着された複数の単位フィルター枠部材と、これら複数の単位フィルター枠部材を折り曲げ自在に連結するヒンジ部とから成り、前記空気吸込口から吸込まれ、前記熱交換器に供給されて冷媒と熱交換する空気を濾過する空気清浄フィルターと、
この空気清浄フィルターの前記単位フィルター枠部材の両側面からそれぞれ突出するように設けられた案内部と、
前記パネルに設けられ、前記案内部が挿入されることで前記空気清浄フィルターを着脱可能に取付ける案内溝と、
を備えたことを特徴とする空調冷凍装置。
【請求項６】  前記案内溝が、前記案内部が挿入される方向に開口幅が小さくなる楔状であって、
前記案内部は、前記案内溝に合せて挿入方向先端から順次断面の大きさが大きくなるように形成されたことを特徴とする請求項５記載の空調冷凍装置。
【請求項７】  前記空気清浄フィルターは、前記案内部の側面に沿って、前記案内部を接続し、弾性変形可能なガイド帯を備えたことを特徴とする請求項５又は請求項６記載の空調冷凍装置。
【請求項８】  前記熱交換器を前記パネル内に湾曲して配置するとともに、前記案内溝を前記熱交換器の上流で、前記熱交換器に沿って湾曲状に設け、この案内溝に前記案内部が挿入される前記空気清浄フィルターが前記熱交換器を覆うように湾曲して取付けられたことを特徴とする請求項５又は請求項６又は請求項７記載の空調冷凍装置。
【手続補正２】
【補正対象書類名】明細書
【補正対象項目名】０００８
【補正方法】変更
【補正の内容】
【０００８】
【課題を解決するための手段】
本発明の請求項１に係る空気清浄フィルターは、それぞれ濾過体が装着された複数の単位フィルター枠部材と、複数の単位フィルター枠部材を折り曲げ自在に連結するヒンジ部と、単位フィルター枠部材の両側面からそれぞれ突出するように設けられ、空気清浄フィルターが設置される場所に設けられた案内溝に挿入される案内部と、を備えたものである。
【手続補正３】
【補正対象書類名】明細書
【補正対象項目名】０００９
【補正方法】変更
【補正の内容】
【０００９】
また、本発明の請求項２に係る空気清浄フィルターは、請求項１の空気清浄フィルターにおいて、案内溝が、案内部が挿入される方向に開口幅が小さくなる楔状であって、案内部は、案内溝に合せて挿入方向先端から順次断面の大きさが大きくなるように形成されたものである。
【手続補正４】
【補正対象書類名】明細書
【補正対象項目名】００１０
【補正方法】変更
【補正の内容】
【００１０】
また、本発明の請求項３に係る空気清浄フィルターは、案内部の側面に沿って、案内部を接続し、弾性変形可能なガイド帯を備えたものである。
【手続補正５】
【補正対象書類名】明細書
【補正対象項目名】００１１
【補正方法】変更
【補正の内容】
【００１１】
また、本発明の請求項４に係る空気清浄フィルターは、複数の単位フィルター枠部材とヒンジ部と案内部とガイド帯が樹脂で一体成形されたものである。
【手続補正６】
【補正対象書類名】明細書
【補正対象項目名】００１２
【補正方法】変更
【補正の内容】
【００１２】
また、本発明の請求項５に係る空調冷凍装置は、空気吸込口を有するパネル内に配置された熱交換器と、熱交換器の上流に配置され、それぞれ濾過体が装着された複数の単位フィルター枠部材と、複数の単位フィルター枠部材を折り曲げ自在に連結するヒンジ部とから成り、空気吸込口から吸込まれ、熱交換器に供給されて冷媒と熱交換する空気を濾過する空気清浄フィルターと、空気清浄フィルターの単位フィルター枠部材の両側面からそれぞれ突出するように設けられた案内部と、パネルに設けられ、案内部が挿入されることで空気清浄フィルターを着脱可能に取付ける案内溝と、を備えたものである。
【手続補正７】
【補正対象書類名】明細書
【補正対象項目名】００１３
【補正方法】変更
【補正の内容】
【００１３】
また、本発明の請求項６に係る空調冷凍装置は、案内溝が、案内部が挿入される方向に開口幅が小さくなる楔状であって、案内部は、案内溝に合せて挿入方向先端から順次断面の大きさが大きくなるように形成されたものである。
また、本発明の請求項７に係る空調冷凍装置は、空気清浄フィルターが、案内部の側面に沿って、案内部を接続し、弾性変形可能なガイド帯を備えたものである。
【手続補正８】
【補正対象書類名】明細書
【補正対象項目名】００１４
【補正方法】変更
【補正の内容】
【００１４】
また、本発明の請求項８に係る空調冷凍装置は、熱交換器をパネル内に湾曲して配置するとともに、案内溝を熱交換器の上流で、熱交換器に沿って湾曲状に設け、案内溝に案内部が挿入される空気清浄フィルターが熱交換器を覆うように湾曲して取付けられたものである。
【手続補正９】
【補正対象書類名】明細書
【補正対象項目名】００２５
【補正方法】変更
【補正の内容】
【００２５】
【発明の効果】
本発明の請求項１に係る空気清浄フィルターは、それぞれ濾過体が装着された複数の単位フィルター枠部材と、複数の単位フィルター枠部材を折り曲げ自在に連結するヒンジ部と、単位フィルター枠部材の両側面からそれぞれ突出するように設けられ、空気清浄フィルターが設置される場所に設けられた案内溝に挿入される案内部と、を備えたので、ボス部を案内溝に挿入して空気清浄フィルターを取付けることで、湾曲形状をはじめ、自由な形状の案内溝にスム−ズに着脱可能な空気清浄フィルターが得られる。その際、空気清浄フィルターは、案内溝の形状に合せて、ヒンジ部で自在に折り曲がり、案内溝の形状に合せた空気清浄フィルターが得られる。
【手続補正１０】
【補正対象書類名】明細書
【補正対象項目名】００２６
【補正方法】変更
【補正の内容】
【００２６】
また、本発明の請求項２に係る空気清浄フィルターは、請求項１の空気清浄フィルターにおいて、案内溝が、案内部が挿入される方向に開口幅が小さくなる楔状であって、案内部は、案内溝に合せて挿入方向先端から順次断面の大きさが大きくなるように形成されたので、挿入する案内溝を楔状とし、楔の方向を合せ、狭い方から広いほうに挿入することにより、案内部が案内溝に密着し、振動などによるビビリ音等が発生しない空気清浄フィルターが得られる。
【手続補正１１】
【補正対象書類名】明細書
【補正対象項目名】００２７
【補正方法】変更
【補正の内容】
【００２７】
また、本発明の請求項３に係る空気清浄フィルターは、請求項１又は請求項２の空気清浄フィルターにおいて、案内部の側面に沿って、案内部を接続し、弾性変形可能なガイド帯を備えたので、案内部を案内溝の挿入部に挿入するとき、ボス部が案内溝から外れることがなく、よりスム−ズな装着が可能な空気清浄フィルターが得られる。
【手続補正１２】
【補正対象書類名】明細書
【補正対象項目名】００２８
【補正方法】変更
【補正の内容】
【００２８】
また、本発明の請求項４に係る空気清浄フィルターは、請求項３の空気清浄フィルターにおいて、複数の単位フィルター枠部材とヒンジ部と案内部とガイド帯が樹脂で一体成形されたので、空気清浄フィルターが安価に製作できる。
【手続補正１３】
【補正対象書類名】明細書
【補正対象項目名】００２９
【補正方法】変更
【補正の内容】
【００２９】
また、本発明の請求項５に係る空調冷凍装置は、空気吸込口を有するパネル内に配置された熱交換器と、熱交換器の上流に配置され、それぞれ濾過体が装着された複数の単位フィルター枠部材と、複数の単位フィルター枠部材を折り曲げ自在に連結するヒンジ部とから成り、空気吸込口から吸込まれ、熱交換器に供給されて冷媒と熱交換する空気を濾過する空気清浄フィルターと、空気清浄フィルターの単位フィルター枠部材の両側面からそれぞれ突出するように設けられた案内部と、パネルに設けられ、案内部が挿入されることで空気清浄フィルターを着脱可能に取付ける案内溝と、を備えたので、ボス部を案内溝に挿入して空気清浄フィルタ−を取付けることで、湾曲形状をはじめ、自由な形状の案内溝にスム−ズに着脱可能な空気清浄フィルターを備えた空調冷凍装置を得ることができ、空調冷凍装置の品質が向上する。
【手続補正１４】
【補正対象書類名】明細書
【補正対象項目名】００３０
【補正方法】変更
【補正の内容】
【００３０】
また、本発明の請求項６に係る空調冷凍装置は、請求項５記載の空調冷凍装置において、案内溝が、案内部が挿入される方向に開口幅が小さくなる楔状であって、案内部は、案内溝に合せて挿入方向先端から順次断面の大きさが大きくなるように形成されるので、挿入する案内溝を楔状とし、楔の方向を合せ、狭い方から広いほうに挿入することにより、案内部が案内溝に密着し、運転中に振動などによるビビリ音の発生が防止でき、静かな運転音の空調冷凍装置が得られる。
また、本発明の請求項７に係る空調冷凍装置は、請求項５又は請求項６記載の空調冷凍装置において、空気清浄フィルターが、案内部の側面に沿って、案内部を接続し、弾性変形可能なガイド帯を備えたので、案内部を案内溝の挿入部に挿入するとき、ボス部が案内溝から外れることがなく、よりスム−ズな空気清浄フィルターの装着が可能な空調冷凍装置が得られる。
【手続補正１５】
【補正対象書類名】明細書
【補正対象項目名】００３１
【補正方法】変更
【補正の内容】
【００３１】
また、本発明の請求項８に係る空調冷凍装置は、請求項５又は請求項６又は請求項７記載の空調冷凍装置において、熱交換器をパネル内に湾曲して配置するとともに、案内溝を熱交換器の上流で、熱交換器に沿って湾曲状に設け、案内溝に案内部が挿入される空気清浄フィルターが熱交換器を覆うように湾曲して取付けられたので、熱交換器に供給される空気はほとんどが空気清浄フィルターを通過し、熱交換器の汚染防止が確実に行われる。